(57)【要約】人工リーフを構築するための方法で、この方法は、リーフ要素（２）を支持構造体（１００）に取り付けることを含む。次に、支持構造体（１００）および取り付けられたリーフ要素（２）を、海底の設置位置の上にある水塊の表面の位置へと搬送する。支持構造体（１００）およびリーフ要素（２）が表面位置にある間に、結合手段（４）を使用して支持構造体（１００）を海底に固定する。次に、結合手段（４）を使用して、支持構造体（１００）およびリーフ要素（２）を表面から海底の設置位置へと移動する。【選択図】図６
2009503298.tif 000002
【特許請求の範囲】
【請求項１】
充填材料を受け取ることができる複数のコンテナを含む人工リーフアセンブリであって、前記各コンテナが、接続手段によって少なくとも１つの他の前記コンテナに接続され、使用時には、前記接続手段が、必要とされる構成で前記複数のコンテナを保持し、必要なリーフの形状を形成するために、前記コンテナが、必要な量の充填材料で充填される人工リーフアセンブリ。
【請求項２】
前記コンテナが３０ｍ３から１６００ｍ３の容積を有する請求項１に記載のアセンブリ。
【請求項３】
前記コンテナが１０ｍから８０ｍの長さを有する請求項１または２に記載のアセンブリ。
【請求項４】
前記コンテナが３０ｍから６０ｍの長さを有する請求項３に記載のアセンブリ。
【請求項５】
前記コンテナが１ｍ２から２５ｍ２の断面積を有する前記請求項のいずれかに記載のアセンブリ。
【請求項６】
前記リーフ要素が、前記リーフ要素の長さに沿って実質的に一定である断面積を有する、前記請求項のいずれかに記載のアセンブリ。
【請求項７】
少なくとも１つのリーフ要素および支持構造体を備える人工リーフアセンブリであって、前記少なくとも１つのリーフ要素は前記支持構造体に結合され、前記支持構造体は、設置位置に搬送されている間に前記少なくとも１つのリーフ要素を支持し、海底に固定されて、前記少なくとも１つのリーフ要素を所望の位置で前記海底に配置し、人工リーフの少なくとも一部を形成することができるアセンブリ。
【請求項８】
前記支持構造体に接続され、前記支持構造体を前記海底に結合することができる結合手段をさらに備える、請求項７に記載のアセンブリ。
【請求項９】
少なくとも１つのリーフ要素と、前記リーフ要素が水面にある間に、前記リーフ要素を海底に結合する結合手段とを備え、それによってその後、前記結合手段を使用して、前記少なくとも１つのリーフ要素を前記海底へと移動することができる人工リーフアセンブリ。
【請求項１０】
支持構造体をさらに備え、前記少なくとも１つのリーフ要素が、前記支持構造体に結合され、前記支持構造体が、前記結合手段に接続する、請求項９に記載のアセンブリ。
【請求項１１】
前記人工リーフアセンブリがいくつかのリーフ要素を備える請求項７から１０のいずれかに記載のアセンブリ。
【請求項１２】
２つ以上のリーフ要素が前記支持構造体に結合される請求項７または請求項１０に従属する場合の請求項１１に記載のアセンブリ。
【請求項１３】
いくつかの支持構造体がある、請求項７または請求項１０または請求項１２に従属する場合の請求項１１に記載のアセンブリ。
【請求項１４】
１つのリーフ要素が各支持構造体に結合される請求項１３に記載のアセンブリ。
【請求項１５】
前記リーフ要素が３０ｍ３から１６００ｍ３の容積を有する請求項７から１４のいずれかに記載のアセンブリ。
【請求項１６】
前記リーフ要素が１０ｍから８０ｍの長さを有する請求項７から１５のいずれかに記載のアセンブリ。
【請求項１７】
前記リーフ要素が３０ｍから６０ｍの長さを有する請求項１６に記載のアセンブリ。
【請求項１８】
前記リーフ要素が１ｍ２から２５ｍ２の断面積を有する請求項７から１７のいずれかに記載のアセンブリ。
【請求項１９】
前記リーフ要素が、前記リーフ要素の長さに沿って実質的に一定である断面積を有する、請求項７から１８のいずれかに記載のアセンブリ。
【請求項２０】
前記リーフ要素が、充填材料で充填することができるコンテナを備える請求項７から１９のいずれかに記載のアセンブリ。
【請求項２１】
前記コンテナが可撓性である請求項１から６または１５のいずれかに記載のアセンブリ。
【請求項２２】
前記コンテナが織物材料から形成される請求項２１に記載のアセンブリ。
【請求項２３】
前記コンテナがジオテキスタイル材料から形成される請求項２２に記載のアセンブリ。
【請求項２４】
前記コンテナがメガコンテナである請求項１から６または２０から２３のいずれかに記載のアセンブリ。
【請求項２５】
人工リーフアセンブリを構築するための方法であって、
（ｉｖ）前記リーフアセンブリから、生成する人工リーフの必要な形状を決定するステップと、
（ｖ）必要な量の充填材料で充填した場合に、必要な形状を生成するために複数のコンテナの必要な構成を決定するステップと、
（ｖｉ）前記各コンテナが、少なくとも１つの他の前記コンテナと接続するように、前記複数のコンテナを接続手段で相互に接続するステップであって、前記接続手段が、使用時に、前記複数のコンテナを前記必要な構成で保持することができるステップと
を含む方法。
【請求項２６】
人工リーフを構築するための方法であって、
（ｉ）水塊の表面に配置されたリーフ要素に結合手段を結合するステップと、
（ｉｉ）前記リーフ要素が前記表面に配置されている間に、前記結合手段を海底に固定するステップと、
（ｉｉｉ）前記結合手段を使用して、前記リーフ要素を前記表面から前記海底へと移動するステップとを含む方法。
【請求項２７】
前記リーフ要素を支持構造体に取り付けるステップと、前記結合手段を前記支持構造体に取り付けるステップとをさらに含む、請求項２６に記載の方法。
【請求項２８】
前記リーフ要素を前記支持構造体に取り付けた状態で、前記支持構造体を前記水塊の前記表面の前記位置へと搬送することをさらに含む、請求項２７に記載の方法。
【請求項２９】
人工リーフを構築するための方法であって、
（ｉ）リーフ要素を支持構造体に取り付けるステップと、
（ｉｉ）前記支持構造体および前記取り付けられたリーフ要素を、海底の設置位置の上にある水塊の表面の位置へと搬送するステップと、
（ｉｉｉ）前記支持構造体および前記リーフ要素が前記表面位置にある間に、結合手段を使用して、前記支持構造体を前記海底に固定するステップと、
（ｉｖ）前記結合手段を使用して、前記支持構造体および前記リーフ要素を前記海底の前記設置位置へと移動するステップとを含む方法。
【請求項３０】
前記人工リーフに必要な形状を決定することをさらに含む請求項２６から２９のいずれかに記載の方法。
【請求項３１】
前記リーフ要素のサイズおよび形状が前記必要な形状から決定される請求項３０に記載の方法。
【請求項３２】
前記リーフ要素がコンテナを備え、前記コンテナが充填材料で充填される請求項２６から３１のいずれかに記載の方法。
【請求項３３】
前記コンテナが、前記リーフ要素が前記海底の前記設置位置にある場合に、充填材料で充填される、請求項３２に記載の方法。
【請求項３４】
前記リーフ要素が３０ｍ３から１６００ｍ３の容積を有する請求項２６から３３のいずれかに記載の方法。
【請求項３５】
前記リーフ要素が１０ｍから８０ｍの長さを有する請求項２６から３４のいずれかに記載の方法。
【請求項３６】
前記リーフ要素が３０ｍから６０ｍの長さを有する請求項３５に記載の方法。
【請求項３７】
前記リーフ要素の断面が１ｍ２から２５ｍ２である請求項２６から３６のいずれかに記載の方法。
【請求項３８】
前記リーフ要素が、前記リーフ要素の長さに沿って実質的に一定である断面積を有する、請求項２６から３７のいずれかに記載の方法。
【請求項３９】
前記人工リーフがいくつかのリーフ要素から構築される、請求項２６から３８のいずれかに記載の方法。
【請求項４０】
１つのリーフ要素が１つの支持構造体に取り付けられる請求項２６から３９のいずれかに記載の方法。
【請求項４１】
２つ以上のリーフ要素が前記支持構造体に取り付けられる請求項２６から３９のいずれかに記載の方法。
【請求項４２】
前記人工リーフが、いくつかのリーフ要素およびいくつかの支持構造体から構築される、請求項２６から４１のいずれかに記載の方法。
【請求項４３】
前記支持構造体が接続手段を備える、請求項２７から２９のいずれか、または請求項２７から２９のいずれかに従属する場合の請求項３０から４２のいずれかに記載の方法。
【請求項４４】
人工リーフを構築するための方法であって、
（ｖｉ）前記人工リーフに必要な形状を決定するステップと、
（ｖｉｉ）必要な量の充填材料で充填した場合に、前記必要な形状を生成するために複数のコンテナの必要な形状を決定するステップと、
（ｖｉｉｉ）前記各コンテナが少なくとも１つの他の前記コンテナと接続するように、前記複数のコンテナを接続手段で相互に接続するステップであって、前記接続手段が、使用時に、前記複数のコンテナを前記必要な構成で保持することができるステップと、
（ｉｘ）前記コンテナを設置位置で前記必要な構成内に移動するステップと、
（ｘ）各コンテナを前記必要な量の充填材料で充填するステップとを含む方法。
【請求項４５】
前記充填ステップの前に、前記複数のコンテナのうちの少なくとも１つを、前記設置位置に隣接して係留されたアンカー手段に一時的に固定するステップがある、請求項４４に記載の方法。
【請求項４６】
前記接続手段に取り付けラインを設けることができ、前記方法が、複数のアンカー手段を前記必要な位置に隣接して係留するステップと、前記取り付けラインのプーリ手段として前記アンカー手段を使用するステップとを含む、請求項４３から４５のいずれかに記載の方法。
【請求項４７】
前記接続手段が細長い可撓性接続手段を備える請求項４３から４６のいずれかに記載の方法。
【請求項４８】
前記接続手段が、ロープおよび／またはストラップおよび／または鎖および／またはスチールケーブルを含むことができる、請求項４７に記載の方法。
【請求項４９】
前記接続手段がウエブを形成するために接続される請求項４３から４８のいずれかに記載の方法。
【請求項５０】
前記コンテナが可撓性である、請求項３２、３３、４４、４５のいずれか、請求項３２または３３に従属する場合は請求項３４から４３のいずれか、または請求項３２、３３、４４または４５のいずれかに従属する場合は請求項４６から４９のいずれかに記載の方法。
【請求項５１】
前記コンテナが織物材料から形成される請求項５０に記載の方法。
【請求項５２】
前記コンテナがジオテキスタイル材料から形成される請求項５１に記載の方法。
【請求項５３】
前記コンテナがメガコンテナである、請求項３２、３３、４４、４５、５０から５２のいずれか、請求項３２または３３に従属する場合は請求項３４から４３のいずれか、または請求項３２、３３、４４または４５のいずれかに従属する場合は請求項４６から４９のいずれかに記載の方法。
【請求項５４】
前記接続手段と前記コンテナの間にマットが設置される、請求項４４、４５のいずれか、または請求項４４または４５のいずれかに従属する場合は請求項４６から５３のいずれかに記載の方法。
【請求項５５】
支持構造体と前記リーフ要素の間にマットが設置される、請求項２７から２９のいずれか、または請求項２７から２９のいずれかに従属する場合は請求項３０から４３のいずれかに記載の方法。
【請求項５６】
必要な量の充填材料で充填された複数のコンテナを含む人工リーフであって、前記各コンテナが、接続手段によって少なくとも１つの他の前記コンテナに接続され、前記接続手段が、前記コンテナが必要な形状の前記リーフを形成するように、必要な構成で前記複数のコンテナを保持する人工リーフ。
【発明の詳細な説明】
【技術分野】
【０００１】
本発明は、人工リーフアセンブリおよび人工リーフの構築方法に関する。
【背景技術】
【０００２】
多目的リーフおよび沖合防波堤は、海岸の保護および／またはサーフィンなどのレクリエーション目的に使用されている。これらは、通常、干潮線から約１００〜４００ｍの水深２〜１５ｍに建設される。しかし、これは場所によっては変化することがある。
【０００３】
リーフの設計は、通常、必要な質の波を生成するのに最適な海底形状を割り出す多数の物理学的実験室研究から確立される。海底の形状が異なると、異なるタイプの波を生成する。
【０００４】
精巧なコンピュータが生成するこれらの形状に伴う問題は、これらの形状を正確に構築するために使用可能な技術がないことである。
【０００５】
以前には、防波堤は、単に大きい岩石を落下させ、障壁を形成することによって建設されていた。しかし、これらの岩石は、サーファにとって危険であり、サーフィンの波の質を破壊することがある大きい起伏を表面に有する。構築物の品質を改良する１つの試みとして、直径が最大３〜５ｍ、長さが約２０ｍのジオテキスタイル・コンテナが採用された。それを浚渫船の船体に充填し、海底に落下させてリーフを形成した。３００を超えるコンテナを落下させることもある。
【０００６】
しかし、この方法は正確さに欠けるため、リーフの表面に大きい凹凸や起伏ができたり、サーフィンの波の質が低下することになった。実験室での試験によると、リーフの形状が不規則だと水面に「気泡」を引き起こし、波の「チューブ」が部分的または全体的に崩壊して、サーフィンの乗り心地が悪くなる。
【０００７】
採用された他の方法として、ダイバーおよびロープを使って、メガコンテナとしても知られているジオコンテナを海底に配置し、各ジオコンテナを適切に充填する方法がある。個々のコンテナを多数使ってこれを実行する費用は高く、それぞれのコンテナを慎重に配置する必要がある場合は特にそうである。
【０００８】
メガコンテナ間にギャップがある場合は別の問題が生じる。一定の波の作用により、コンテナ間の砂が浸食され、最終的にリーフが砂中に沈んでしまうことになる。それ故、サーフィンの波の質、およびリーフ形状の将来の持続性のためには、コンテナを正確に配置することが非常に重要である。
【０００９】
本明細書では、「海底」という用語は、海、湖、人造、または他の方法のいずれであっても、水塊の床を指す。
【００１０】
本明細書で使用する「人工リーフ」という用語は、水塊に配置され、水塊の波のパターンを変更することができるか、または変更するように意図された、例えば人造防波堤、ならびに人工リーフなどの任意の人工の構造物を含み、水中に完全に沈めるか、または一部沈めるだけでもよい。
【００１１】
他に文脈で明らかに要求していない限り、本明細書における説明および特許請求の範囲を通して、「備える」、「備えている」などの用語は、排他的な意味でもなく、または網羅的な意味でもなく、包括的な意味であり、すなわち「含むが、それに限定されない」という意味で解釈されたい。
【発明の開示】
【発明が解決しようとする課題】
【００１２】
本発明の目的は、リーフを、従来技術の人工リーフより簡単にかつ高い精度で展開することができる人工リーフおよび／または人工リーフの構築方法を提供することである。
【００１３】
本発明の代替的目的は、人工リーフアセンブリおよび／または人工リーフアセンブリおよび／または人工リーフの構築方法および／または従来技術の１つまたは複数の問題を克服するか、または少なくとも有用な選択肢を提供する人工リーフの構築方法を提供することである。
【００１４】
本発明の他の目的は、以下の説明から理解することができる。しかし、この説明は単なる例示としてのものにすぎない。
【課題を解決するための手段】
【００１５】
第１の態様によれば、本発明は、充填材料を受け取ることができる複数のコンテナを含み、各コンテナは、接続手段によって少なくとも１つの他のコンテナに接続され、使用時には、接続手段は、必要とされる構成で複数のコンテナを保持し、必要なリーフの形状を形成するために、コンテナが必要な量の充填材料で充填される人工リーフアセンブリを提供する。
【００１６】
第２の態様によれば、本発明は、少なくとも１つのリーフ要素および支持構造体を備え、その少なくとも１つのリーフ要素は、支持構造体に結合され、支持構造体は、設置位置に搬送されている間に少なくとも１つのリーフ要素を支持し、海底に固定されて、少なくとも１つのリーフ要素を所望の位置で海底に配置し、人工リーフの少なくとも一部を形成することができる人工リーフアセンブリを提供する。
【００１７】
上記人工リーフアセンブリは、さらに、支持構造体に接続され、支持構造体を海底に結合することができる結合手段を備えることが好ましい。
【００１８】
第３の態様によれば、本発明は、少なくとも１つのリーフ要素と、リーフ要素が海面にある間に、リーフ要素を海底に結合する結合手段とを備え、それによってその後、結合手段を使用して、少なくとも１つのリーフ要素を海底へと移動することができる人工リーフアセンブリを提供する。
【００１９】
リーフアセンブリは、さらに、支持構造体を備え、少なくとも１つのリーフ要素は支持構造体に結合され、支持構造体は、結合手段に接続することが好ましい。
【００２０】
人工リーフアセンブリが、いくつかのリーフ要素を備えることが好ましい。
【００２１】
本発明の一例では、２つ以上のリーフ要素が１つの支持構造体に結合される。しかし代替的に、各リーフ要素の１つの支持構造体を設置することができる。
【００２２】
第４の態様によれば、本発明は、必要な量の充填材料で充填された複数のコンテナを含み、上記各コンテナが接続手段によって少なくとも１つの他の上記コンテナに接続される人工リーフを提供する。接続手段は、コンテナが必要な形状のリーフを形成するように、必要な構成で複数のコンテナを保持する。
【００２３】
第５の態様によれば、本発明は、人工リーフアセンブリを構築するための方法を提供する。この方法は、
（ｉ）リーフアセンブリから、生成する人工リーフの必要な形状を決定するステップと、
（ｉｉ）必要な量の充填材料で充填した場合に、必要な形状を生成するために複数のコンテナの必要な構成を決定するステップと、
（ｉｉｉ）上記各コンテナが少なくとも１つの他の上記コンテナと接続するように、複数のコンテナを接続手段で相互に接続するステップであって、接続手段は、使用時に複数のコンテナを必要な構成で保持することができるステップと
を含む。
【００２４】
第６の態様によれば、本発明は、人工リーフを構築するための方法を提供する。この方法は、
（ｉ）水塊の表面に配置されたリーフ要素に結合手段を結合するステップと、
（ｉｉ）リーフ要素が表面に配置されている間に、結合手段を海底に固定するステップと、
（ｉｉｉ）結合手段を使用して、リーフ要素を表面から海底へと移動するステップとを含む。
【００２５】
リーフ要素が、支持構造体に取り付けられ、結合手段が、支持構造体に取り付けられることが好ましい。
【００２６】
第７の態様によれば、本発明は、人工リーフを構築するための方法を提供する。この方法は、
（ｉ）リーフ要素を支持構造体に取り付けるステップと、
（ｉｉ）支持構造体および取り付けられたリーフ要素を、海底の設置位置の上にある水塊の表面の位置へと搬送するステップと、
（ｉｉｉ）支持構造体およびリーフ要素が表面位置にある間に、結合手段を使用して支持構造体を海底に固定するステップと、
（ｉｖ）結合手段を使用して、支持構造体およびリーフ要素を海底の設置位置へと移動するステップと
を含む。
【００２７】
好適には、方法は、さらに、人工リーフに必要な形状を決定するステップを含むことが好ましい。
【００２８】
通常、リーフ要素のサイズおよび形状は、必要な形状から決定することができる。
【００２９】
好適には、リーフ要素は、好ましくは可撓性で、ジオテキスタイル材料などの織物材料から形成することができるコンテナを備えられることが好ましい。通常、コンテナは、メガコンテナである。
【００３０】
通常、リーフ要素は、３０ｍ３から１６００ｍ３の容積を有することができる。
【００３１】
通常、リーフ要素は、１０ｍから８０ｍ、好ましくは３０ｍから６０ｍの長さを有することができる。
【００３２】
通常、リーフ要素の断面積は、１ｍ２から２５ｍ２でよい。好適には、断面積は、リーフ要素の長さに沿って実質的に一定であることが好ましい。しかし、断面積は、リーフ要素の長さに沿って変えることも可能である。
【００３３】
好適には、支持構造体は、リーフ要素を支持するウエブの形態であることが好ましい。
【００３４】
リーフ要素がコンテナである場合、コンテナは充填材料で充填される。好適には、コンテナが海底の設置場所に配置される場合、コンテナは充填材料で充填されることが好ましい。
【００３５】
人工リーフは、いくつかのリーフ要素から構築されることが好ましい。
【００３６】
本発明の一例では、１つのリーフ要素が１つの支持構造体に取り付けられる、しかし、本発明の代替例では、２つ以上のリーフ要素が支持構造体に取り付けられる。人工リーフは、いくつかのリーフ要素および支持構造体で、例えば支持構造体毎に１つのリーフ要素で、または支持構造体毎に２つ以上のリーフ要素があるいくつかの支持構造体で構築することができる。
【００３７】
第８の態様によれば、本発明は、人工リーフを構築するための方法を提供する。該方法は、
（ｉ）人工リーフに必要な形状を決定するステップと、
（ｉｉ）必要な量の充填材料で充填した場合に、必要な形状を生成するために複数のコンテナの必要な形状を決定するステップと、
（ｉｉｉ）上記各コンテナが少なくとも１つの他の上記コンテナと接続するように、複数のコンテナを接続手段で相互に接続するステップであって、接続手段が、使用時に複数のコンテナを必要な構成で保持することができるステップと、
（ｉｖ）コンテナを必要な位置で必要な構成内に移動するステップと、
（ｖ）各コンテナを必要な量の充填材料で充填するステップとを含む。
【００３８】
充填ステップの前に、上記複数のコンテナのうち少なくとも１つの、必要な位置に隣接して係留されたアンカー手段に一時的に固定するステップがあることが好ましい。
【００３９】
接続手段に取り付けラインを設けることができ、上記方法が、必要な位置の隣に複数のアンカー手段を係留するステップと、取り付けラインのプーリ手段としてアンカー手段を使用するステップとを含むことが好ましい。
【００４０】
接続手段の少なくとも１つが、細長い可撓性接続手段であることが好ましい。
【００４１】
接続手段が、ロープおよび／またはストラップおよび／または鎖および／またはスチールケーブルを含むことが好ましい。
【００４２】
複数の接続手段を接続して、ウエブを形成できることが好ましい。
【００４３】
好適には、上記コンテナが、それぞれ可撓性コンテナであることが好ましい。しかし、コンテナを剛性または半剛性にできることが可能である。可撓性、剛性および半剛性コンテナの任意の組合せを、同じリーフアセンブリに使用するか、または１つの人工リーフを構築するために使用できることも可能である。
【００４４】
好適には、マットを設置し、接続手段に取り付けることが好ましい。この形体は、コンテナの収縮および／または砂の漏れを防止するか、または最小限に抑えるという利点を有する。
【００４５】
本発明のもう１つの態様は、全て新規の態様と見なされ、本発明の可能な実施形態の例によって与えられる以下の説明から理解することができる。
【００４６】
次に、本発明による人工リーフアセンブリおよび人工リーフ構築方法の例について、添付の図面を参照しながら説明する。
【発明を実施するための最良の形態】
【００４７】
図１は、全体として１００の参照番号が付けられたウエブまたは網状構造物を形成するために、相互に接続された複数の接続手段１から形成された支持構造を示す。この例では、接続手段１はウェッビングまたは織物テープである。しかし、接続手段は、ロープまたはケーブルなど任意の適切な材料を使用することができる。ウエブ１００の周縁に沿って、ロープの形態のいくつかの結合手段４が取り付けられている。
【００４８】
人工リーフアセンブリ３００の第１の例が図２および図３に図示されている。リーフアセンブリ３００は、ウエブ１００が必要な位置に保持され、コンテナ２が必要な量または所定の量の充填材料で充填されると、図４、図５および図７に示すように、全体として２００の参照番号が付けられた所定の必要なリーフ形状が形成されるように、コンテナ２をウエブ１００に取り付けることによって形成される。コンテナ２は図５では円形の断面を有するように概略的に図示されているが、コンテナは実際には、通常、図７に示すような楕円形の断面を採用することを理解されたい。
【００４９】
各コンテナ２は、接続手段１によって少なくとも１つの他のコンテナ２に接続される。通常、コンテナ２は、可撓性コンテナであり、ジオテキスタイル材料から製造することができる。コンテナ２は任意のサイズでよいが、好ましくはメガコンテナである。通常、コンテナ２は、１０ｍから８０ｍ、好ましくは３０ｍから６０ｍの長さを有する。コンテナは、３０ｍ３から１６００ｍ３の範囲の容積を有することができる。コンテナは１ｍ２から２５ｍ２の範囲の断面積を有することができる。しかし、コンテナには、任意の適切な材料を使用することができ、コンテナは、人工リーフの特定の位置および任意の設置要件に従って決定される任意の適切なサイズであってよい。
【００５０】
様々な接続手段１の破断歪みは、使用時に特定の各接続手段１にかかると予想される負荷に応じて変えることができる。
【００５１】
コンテナ２は、リーフアセンブリを形成するために、好ましくは縫製によって側部に取り付けられたタグ３によってウエブ１００に取り付けられる。タグ３は、１ｍから１０ｍ隔置することが好ましいが、他の間隔が適切である場合もある。
【００５２】
リーフアセンブリの製造は、陸上で実行することができ、それによって時間を節約し、費用を削減する。図３は、コンテナ２が空で、折り畳まれた状態で、設置前のリーフアセンブリを示す。
【００５３】
使用時には、全体として３００の参照番号が付けられたリーフアセンブリは、好ましくは展開する準備が整った艀または他の平坦な表面上で、折り畳んだ状態で所望の位置まで搬送する。次にウエブ１００を、所定の間隔でウエブ１００に接続された取り付けライン４によって、好ましくは水面上で広げる。ウエブ１００を広げるために、ウィンチ（図示せず）を使用することができる。
【００５４】
波の作用を受けたコンテナ２に安定性を提供するために、コンテナ２をウエブ１００へとさらに確実に固定するように、他のロープまたはライン（図示せず）を使用することができる。これらの追加のロープまたはラインは、後に、コンテナ２に充填材料を充填する間、または充填した後に解くことができる。
【００５５】
並んだ適切なアンカー、例えばアンカー５を、リーフの必要位置に隣接する海底に係留する。アンカー５を通して取り付けラインを送り出し、アンカーをプーリ手段として使用して、リーフアセンブリを海底へ、さらに必要な位置へと引っ張る。取り付けライン４は、アンカー５を通し、次に艀などの水面の船に送り出すことができ、したがって艀上の適切な張力調整手段によってラインの張力を調整し、それによってリーフアセンブリを海底の設置位置に引き込むことができる。アンカー５は、リーフの永久的アンカーとして、および／またはコンテナ２を充填する前にリーフアセンブリ３００を所定の位置に一時的に保持する取り付け点として使用することができる。
【００５６】
波の作用がある場合は、コンテナを充填する前に安定性を改良するために、張力調整されたストラップ（図示せず）を、リーフアセンブリ３００全体に敷設することができる。うねりの状態によって必要とされている場合は、リーフアセンブリ３００の頂部に一時的な砂袋（図示せず）も配置することができる。
【００５７】
ウエブ１００が海底の所定の位置にある状態で、コンテナ２は、接続手段１によって所定の必要な構成に保持される。次に、任意の適切な手段でコンテナ２を充填材料で充填する。
【００５８】
図４および図７を見れば分かるように、重なるように、コンテナ２をウエブ１００に配置し、これによって楕円形断面の可撓性コンテナ２を使用する場合に隣接するコンテナ２間に形成される中空を最小限に抑えることができる。重なりは、コンテナ２の最大充填幅の約１／８以下であることが適切である。これは、コンテナ２間にギャップがないことを確実にするためにも役に立つ。
【００５９】
充填時に、充填された隣のコンテナの力のためにコンテナ２がひっくり返るのを防止するために、最初に１つおきのコンテナ２ａを充填し、次に中間のコンテナ２ｂ（図７参照）を充填することが好ましい。
【００６０】
多くの実施形態では、全体として２００の参照番号が付けられた人工リーフは、自重により安定し、アンカー５を使用する場合は、コンテナ２を充填したらそれを除去することができる。
【００６１】
必要に応じて、ウエブ１００とコンテナ２の間にマット（図示せず）を設置することができる。マットは、コンテナ２が海底に沈み込むことになるコンテナ２間からの砂の漏れを防止することができる。
【００６２】
必要に応じて、１列目のタグの上に、もう１つのタグの列（図示せず）を設置することができる。これは、コンテナ２とウエブ１００の間の接続を強化することができ、空であるか、または部分的に充填された場合に、コンテナがあちこち移動する傾向の抑制にも役に立つことができる。
【００６３】
リーフアセンブリ５００の第２の例が図８に図示されている。この場合は、ウエブ６００の形態の支持構造体の第２の例を使用する。ウエブ６００は、接続手段１からウエブ１００と同じ方法で製作される。しかし、この例では、１つのコンテナ６０２しかウエブ６００に取り付けられていない。コンテナ６０２は、コンテナ２をウエブ１００に取り付けるのと同じ方法で、ウエブ６００に取り付けられる。すなわち、タグ３（図８には図示せず）を使用する。
【００６４】
この例では、人工リーフを構築するために１つのコンテナしか必要ない場合に、リーフアセンブリ５００を使用することができる。しかし、リーフアセンブリ５００には、高潮、大きいうねり、または１つのウエブ１００と複数のコンテナ２を使用して人工リーフを構築するのは困難または不可能になる他の困難な環境状態の区域に設置する用途もある。この場合は、人工リーフを構築するために、いくつかのリーフアセンブリ５００を設置することができる。これは、水面での時間、設置時間および充填時間が短縮され、それによって困難な環境条件でリーフアセンブリを設置し、コンテナ６０２を充填することを容易にすることができる。リーフアセンブリ５００には、リーフアセンブリの構築および／またはリーフアセンブリの展開のスペースが限られた用途もある。
【００６５】
人工リーフを構築するためにいくつかのリーフアセンブリを使用でき、各リーフアセンブリが、個々の支持構造体に取り付けられた１つまたは複数のコンテナ（またはリーフ要素）を有する１つの支持構造体を備えることも可能である。
材料
・コンテナ２は、任意の適切な耐久性材料で製作することができる。その例は、ジオテキスタイル、高耐荷重性ポリプロピレン、耐久性プラスチックまたはコンクリートを含む。
・コンテナは、チューブ形でよく、平面図または断面が円形、楕円形、矩形、三角形、または任意の他の適切な形状でよい。
・コンテナは、可撓性、剛性または部分的に剛性（例えば、半剛性）であってもよい。
・充填材料は、砂であることが好ましいが、泥、石、大礫などを使用することができる。
・接続手段１の少なくとも１つは、細長い可撓性接続手段であることが好ましく、ロープ、ストラップ、鎖、スチールケーブルを含む任意の適切な材料を使用することができる。代替実施形態では、接続手段の一部は実質的に剛性であってもよい。
・タグは、ストラップまたは任意の適切な材料で作成し、ストラップ、ロープ、掛け金に結びつけることができる。
・マットは、帆布、ポリプロピレン、ジオテキスタイルまたは任意の他の適切な材料で作成することができる。
【００６６】
図示の実施形態では、接続手段をウエブの形態で図示してきたが、いくつかの実施形態では、コンテナは、接続手段が隣接するコンテナのみに接続するように、十分に強力であるか、または強化することができる。
【００６７】
本明細書で提示した本発明は、構築の費用を抑制しながら、人工リーフの構築の精度を改良する新規の方法であることが、当業者には認識される。標準的なメガコンテナを使用することができるが、構築の大部分は陸上で実行され、それによって費用がかかる海底での費用が大幅に削減され、作業を実行するために波が小さい期間に依存する度合いを最小限に抑えることができる。
【００６８】
この方法では、コンテナを、
・相互に対して正確に、
・同時に、かつ
・より迅速に
展開することができ、それによりダイバーや海上での時間が節約される。
【００６９】
この方法は、うねりが低い日数を多く必要とせず、したがってうねりが低い短期間にリーフ全体を完成することができる。海底に多くのデッドマン錘を配置し、除去する必要がなく、ダイバーの安全性も大幅に改良される。リーフは、１つのユニットとして１回で展開することができるが、リーフは、ウエブの別個の区間で段階的に展開することもできる。
【００７０】
以上の説明では、既知の同等物を有する本発明の特定の構成要素または完全体に言及しているが、このような同等物は、個々に述べられたものとして本明細書に組み込むものとする。
【００７１】
本発明を例示によって、その可能な実施形態に関して説明してきたが、本発明の精神または範囲から逸脱することなしに、修正または改良が可能であることを理解されたい。
【図面の簡単な説明】
【００７２】
【図１】人工リーフの接続手段のウエブという形態の支持構造体の第１の例の略平面図である。
【図２】図１に示した支持構造体を使用するリーフアセンブリの第１の例の略平面図である。
【図３】設置前の図２の人工リーフアセンブリの略等角断面図である。
【図４】図２のリーフアセンブリから形成した人工リーフの略平面図である。
【図５】図３の線ＡＡに沿って見た図３の人工リーフの略等角断面図である。
【図６】海底の設置位置に配置されたリーフアセンブリの平面図であり、アンカーの配置を示す。
【図７】線ＡＡを通る図３の人工リーフの略断面図である。
【図８】人工リーフアセンブリの第２の例と支持構造体の第２の例の略平面図である。
【図１】
2009503298.tif 000003
【図２】
2009503298.tif 000004
【図３】
2009503298.tif 000005
【図４】
2009503298.tif 000006
【図５】
2009503298.tif 000007
【図６】
2009503298.tif 000008
【図７】
2009503298.tif 000009
【図８】
2009503298.tif 000010
【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
少なくとも１つのリーフ要素および支持構造体を備える人工リーフアセンブリであって、前記少なくとも１つのリーフ要素は前記支持構造体に結合され、前記支持構造体は、設置位置に搬送されている間に前記少なくとも１つのリーフ要素を支持し、海底に固定されて、前記少なくとも１つのリーフ要素を所望の位置で前記海底に配置し、人工リーフの少なくとも一部を形成することができるアセンブリ。
【請求項２】
前記支持構造体に接続され、前記支持構造体を前記海底に結合することができる結合手段をさらに備える、請求項１に記載のアセンブリ。
【請求項３】
少なくとも１つのリーフ要素と、前記リーフ要素が水面にある間に、前記リーフ要素を海底に結合する結合手段とを備え、それによってその後、前記結合手段を使用して、前記少なくとも１つのリーフ要素を前記海底へと移動することができる人工リーフアセンブリ。
【請求項４】
支持構造体をさらに備え、前記少なくとも１つのリーフ要素が、前記支持構造体に結合され、前記支持構造体が、前記結合手段に接続する、請求項３に記載のアセンブリ。
【請求項５】
前記人工リーフアセンブリがいくつかのリーフ要素を備える請求項１から４のいずれかに記載のアセンブリ。
【請求項６】
２つ以上のリーフ要素が前記支持構造体に結合される請求項１、２または４に従属する場合の請求項５に記載のアセンブリ。
【請求項７】
いくつかの支持構造体がある請求項１、２、４または６に従属する場合の請求項５に記載のアセンブリ。
【請求項８】
１つのリーフ要素が、各支持構造体に結合される、請求項７に記載のアセンブリ。
【請求項９】
前記リーフ要素が３０ｍ３から１６００ｍ３の容積を有する請求項１から８のいずれかに記載のアセンブリ。
【請求項１０】
前記リーフ要素が１０ｍから８０ｍの長さを有する請求項１から９のいずれかに記載のアセンブリ。
【請求項１１】
前記リーフ要素が３０ｍから６０ｍの長さを有する請求項１０に記載のアセンブリ。
【請求項１２】
前記リーフ要素が１ｍ２から２５ｍ２の断面積を有する請求項１から１１のいずれかに記載のアセンブリ。
【請求項１３】
前記リーフ要素が、前記リーフ要素の長さに沿って実質的に一定である断面積を有する、請求項１から１２のいずれかに記載のアセンブリ。
【請求項１４】
前記リーフ要素が、充填材料で充填することができるコンテナを備える請求項１から１３のいずれかに記載のアセンブリ。
【請求項１５】
前記コンテナが可撓性である請求項９に記載のアセンブリ。
【請求項１６】
前記コンテナが織物材料から形成される請求項１５に記載のアセンブリ。
【請求項１７】
前記コンテナがジオテキスタイル材料から形成される請求項１６に記載のアセンブリ。
【請求項１８】
前記コンテナがメガコンテナである請求項１４から１７のいずれかに記載のアセンブリ。
【請求項１９】
人工リーフを構築するための方法であって、
（ｉ）水塊の表面に配置されたリーフ要素に結合手段を結合するステップと、
（ｉｉ）前記リーフ要素が前記表面に配置されている間に、前記結合手段を海底に固定するステップと、
（ｉｉｉ）前記結合手段を使用して、前記リーフ要素を前記表面から前記海底へと移動するステップとを含む方法。
【請求項２０】
前記リーフ要素を支持構造体に取り付けるステップと、前記結合手段を前記支持構造体に取り付けるステップとをさらに含む、請求項１９に記載の方法。
【請求項２１】
前記リーフ要素を前記支持構造体に取り付けた状態で、前記支持構造体を前記水塊の前記表面の前記位置へと搬送することをさらに含む、請求項２０に記載の方法。
【請求項２２】
人工リーフを構築するための方法であって、
（ｉ）リーフ要素を支持構造体に取り付けるステップと、
（ｉｉ）前記支持構造体および前記取り付けられたリーフ要素を、海底の設置位置の上にある水塊の表面の位置へと搬送するステップと、
（ｉｉｉ）前記支持構造体および前記リーフ要素が前記表面位置にある間に、結合手段を使用して、前記支持構造体を前記海底に固定するステップと、
（ｉｖ）前記結合手段を使用して、前記支持構造体および前記リーフ要素を前記海底の前記設置位置へと移動するステップとを含む方法。
【請求項２３】
前記人工リーフに必要な形状を決定することをさらに含む、請求項１９から２２のいずれかに記載の方法。
【請求項２４】
前記リーフ要素のサイズおよび形状が前記必要な形状から決定される、請求項２３に記載の方法。
【請求項２５】
前記リーフ要素がコンテナを備え、前記コンテナが充填材料で充填される請求項１９から２４のいずれかに記載の方法。
【請求項２６】
前記コンテナが、前記リーフ要素が前記海底の前記設置位置にある場合に、充填材料で充填される、請求項２５に記載の方法。
【請求項２７】
前記リーフ要素が３０ｍ３から１６００ｍ３の容積を有する請求項１９から２６のいずれかに記載の方法。
【請求項２８】
前記リーフ要素が１０ｍから８０ｍの長さを有する請求項１９から２７のいずれかに記載の方法。
【請求項２９】
前記リーフ要素が３０ｍから６０ｍの長さを有する請求項２８に記載の方法。
【請求項３０】
前記リーフ要素の断面が１ｍ２から２５ｍ２である請求項１９から２９のいずれかに記載の方法。
【請求項３１】
前記リーフ要素が、前記リーフ要素の長さに沿って実質的に一定である断面積を有する、請求項１９から３０のいずれかに記載の方法。
【請求項３２】
前記人工リーフがいくつかのリーフ要素から構築される請求項１９から３１のいずれかに記載の方法。
【請求項３３】
１つのリーフ要素が１つの支持構造体に取り付けられる請求項１９から３２のいずれかに記載の方法。
【請求項３４】
２つ以上のリーフ要素が前記支持構造体に取り付けられる請求項１９から３２のいずれかに記載の方法。
【請求項３５】
前記人工リーフが、いくつかのリーフ要素およびいくつかの支持構造体から構築される、請求項１９から３４のいずれかに記載の方法。
【請求項３６】
前記支持構造体が接続手段を備える、請求項２０から２２のいずれか、または請求項２０から２２のいずれかに従属する場合の請求項２３から３５のいずれかに記載の方法。
【請求項３７】
人工リーフを構築するための方法であって、
（ｉ）前記人工リーフに必要な形状を決定するステップと、
（ｉｉ）必要な量の充填材料で充填した場合に、前記必要な形状を生成するために複数のコンテナの必要な形状を決定するステップと、
（ｉｉｉ）前記各コンテナが少なくとも１つの他の前記コンテナと接続するように、前記複数のコンテナを接続手段で相互に接続するステップであって、前記接続手段が、使用時に、前記複数のコンテナを前記必要な構成で保持することができるステップと、
（ｉｖ）前記接続手段を、前記設置位置に隣接して係留されたアンカー手段に一時的に固定するステップと、
（ｖ）前記コンテナを設置位置で前記必要な構成内に移動するステップと、
（ｖｉ）各コンテナを前記必要な量の充填材料で充填するステップとを含む方法。
【請求項３８】
前記接続手段に取り付けラインを設けることができ、前記方法が、複数のアンカー手段を前記必要な位置に隣接して係留するステップと、前記取り付けラインのプーリ手段として前記アンカー手段を使用するステップとを含む、請求項３６または請求項３７に記載の方法。
【請求項３９】
前記接続手段が細長い可撓性接続手段を備える請求項３６から３８のいずれかに記載の方法。
【請求項４０】
前記接続手段が、ロープおよび／またはストラップおよび／または鎖および／またはスチールケーブルを含むことができる、請求項３９に記載の方法。
【請求項４１】
前記接続手段がウエブを形成するために接続される請求項３６から４０のいずれかに記載の方法。
【請求項４２】
前記コンテナが可撓性である、請求項２５、２６、３７のいずれか、請求項２５または２６に従属する場合は請求項２７から３６のいずれか、または請求項２５、２６または３７のいずれかに従属する場合は請求項３８から４１のいずれかに記載の方法。
【請求項４３】
前記コンテナが織物材料から形成される請求項４２に記載の方法。
【請求項４４】
前記コンテナがジオテキスタイル材料から形成される請求項４３に記載の方法。
【請求項４５】
前記コンテナがメガコンテナである、請求項２５、２６、３７、４２から４４のいずれか、請求項２５または２６に従属する場合は請求項２７から３６のいずれか、または請求項２５、２６または３７のいずれかに従属する場合は請求項３８から４１のいずれかに記載の方法。
【請求項４６】
前記接続手段と前記コンテナの間にマットが設置される、請求項３７、または請求項３７に従属する場合は請求項３８から４５のいずれかに記載の方法。
【請求項４７】
支持構造体と前記リーフ要素の間にマットが設置される、請求項２０から２２のいずれか、または請求項２０から２２のいずれかに従属する場合は請求項２３から３６のいずれかに記載の方法。 
【国際調査報告】
2009503298.tif 000011
2009503298.tif 000012
2009503298.tif 000013
2009503298.tif 000014
2009503298.tif 000015